(57)【要約】【課題】  他の電話端末へ発呼する際に、通話相手と関連がある情報を容易に参照できるＩＰ電話端末、このＩＰ電話端末からの発呼を処理する通話仲介装置及び通信システムを提供する。【解決手段】  電話番号とＵＲＩ情報と文字列情報との組からなる情報を蓄積するデータベースと、ＩＰ電話端末から文字列情報を受信した際に、該文字列情報に対応する電話番号とＵＲＩ情報とを情報蓄積手段から読み出すＡＰＬサーバ１２と、データベースから読み出したＵＲＩ情報を文字列情報の送信元であるＩＰ電話端末２０へ送信し、データベースから読み出した電話番号によって特定される電話端末と通信し、文字列情報の送信元のＩＰ電話端末と電話番号によって特定されるＩＰ電話端末２０との間の通話を確立させるＳＩＰサーバ１１とを有する。【選択図】  図１
2006148649.tif 000002
【特許請求の範囲】
【請求項１】
電話番号とＵＲＩ情報と文字列情報との組からなる情報を蓄積する情報蓄積手段と、
ＩＰ電話端末から前記文字列情報を受信した際に、該文字列情報に対応する電話番号とＵＲＩ情報とを前記情報蓄積手段から読み出す手段と、
前記情報蓄積手段から読み出したＵＲＩ情報を前記文字列情報の送信元であるＩＰ電話端末へ送信する手段と、
前記情報蓄積手段から読み出した電話番号によって特定される電話端末と通信し、前記文字列情報の送信元のＩＰ電話端末と前記電話番号によって特定されるＩＰ電話端末との間の通話を確立させる手段とを有する通話仲介装置。
【請求項２】
前記情報蓄積手段には、電話番号とＵＲＩ情報と文字列情報との組からなる情報が、複数のＩＰ電話端末について個別に蓄積されており、どのＩＰ電話端末に対応する電話番号及びＵＲＩ情報を前記情報蓄積手段から読み出すかを、前記ＩＰ電話端末から前記文字列情報とともに受信した端末固有の識別子に基づいて決定することを特徴する請求項１記載の通話仲介装置。
【請求項３】
前記情報蓄積手段から読み出した電話番号を前記文字列情報の送信元であるＩＰ電話端末に通知する手段をさらに有することを特徴とする請求項１又は２記載の通話仲介装置。
【請求項４】
少なくとも一つのＩＰ電話端末と、該ＩＰ電話端末と他の電話端末との通信を仲介する通話仲介装置とを有する通信システムであって、
前記通話仲介装置は、
電話番号とＵＲＩ情報と文字列情報との組からなる情報を蓄積する情報蓄積手段と、
前記ＩＰ電話端末から前記文字列情報を受信した際に、該文字列情報に対応する電話番号とＵＲＩ情報とを前記情報蓄積手段から読み出す手段と、
前記情報蓄積手段から読み出したＵＲＩ情報を前記文字列情報の送信元であるＩＰ電話端末へ送信する手段と、
前記情報蓄積手段から読み出した電話番号によって特定される電話端末と通信し、前記文字列情報の送信元のＩＰ電話端末と前記電話番号によって特定される電話端末との間の通話を確立させる手段とを有し、
前記ＩＰ電話端末は、
前記文字列情報を前記通信仲介装置へ送信する手段と、
前記通話仲介装置から受信したＵＲＩ情報によって示される情報を表示する手段とを有することを特徴とする通信システム。
【請求項５】
前記情報蓄積手段には、電話番号とＵＲＩ情報と文字列情報との組からなる情報が、複数のＩＰ電話端末について個別に蓄積されており、
前記ＩＰ電話端末は、前記文字列情報と共に端末固有の識別子を前記通話仲介装置へ送信し、
前記通話仲介装置は、どのＩＰ電話端末に対応する電話番号及びＵＲＩ情報を前記情報蓄積手段から読み出すかを、前記識別子に基づいて決定することを特徴とする請求項４記載の通信システム。
【請求項６】
前記通話仲介装置は、前記情報蓄積手段から読み出した電話番号を前記文字列情報の送信元であるＩＰ電話端末に通知する手段をさらに有することを特徴とする請求項４又は５記載の通信システム。
【請求項７】
電話番号とＵＲＩ情報と文字列情報との組からなる情報を蓄積する情報蓄積手段を備えた通信仲介装置へ文字列情報を送信する手段と、
前記通話仲介装置から受信したＵＲＩ情報によって示される情報を表示する手段とを有するＩＰ電話端末。
【請求項８】
電話番号とＵＲＩ情報と文字列情報との組からなる情報を前記通話仲介装置へ送信して前記情報蓄積手段に蓄積させる手段をさらに有することを特徴とする請求項７記載のＩＰ電話端末。
【発明の詳細な説明】
【技術分野】
【０００１】
本発明は、ＵＲＩ情報にユーザが任意に選択した文字列を関連付けるシステムに関する。
【背景技術】
【０００２】
近年、ｘＤＳＬの利用者が増加したり光ファイバ網が整備されたことに伴いＩＰ網を利用して音声通話を行う「ＩＰ電話」と呼ばれる通信方式が普及しつつある。
【０００３】
ＩＰ電話方式では、ＩＰ網に接続可能な電子機器（コンピュータ端末やＰＤＡなど）にＳＩＰ（Session Initiation Protocol）対応のクライアントソフトをインストールすることで「ＩＰ電話端末」として利用可能である。
【０００４】
ＩＰ電話方式では、各ＩＰ電話端末には、ＩＰアドレスが割り当てられており、ＩＰ電話システムが提供するＩＰアドレスと電話番号とを変換する仕組みを用いて、電話番号により、ＩＰ網を利用した電話発信、電話着信、音声通話が可能である。
【０００５】
上記のように、ＩＰ電話方式では、コンピュータ端末のようなブラウザ機能を備えた電子機器をＩＰ電話端末として用いることも可能である。このため、ＩＰ電話端末において入力された特定の電話番号に対応したＵＲＩ情報を、発信元のＩＰ電話端末へ送り返すサービスが行われている。このサービスを利用することにより、ユーザは特定の電話番号に対応づけられたＵＲＩの情報をＩＰ電話端末に表示させることが可能となる。
【０００６】
通信相手のホームページを電話端末に表示させる従来技術としては、特許文献１に開示される「コミュニケーションシステム、同システムに用いられる電話補助装置及び電話装置」がある。
【特許文献１】特開平１１−１４６０８３号公報
【発明の開示】
【発明が解決しようとする課題】
【０００７】
しかし、特許文献１に開示される発明のように、ＵＲＩ情報と電話番号との単純な対応づけでは、電話をかけるごとに関連情報が表示されるため、ユーザにとってはわずらわしい場合もある。また電話番号は長くて覚えづらく、覚えやすい番号や文字列により、電話発信とＵＲＩ情報の取得を行えることが望ましい。
【０００８】
本発明は係る問題に鑑みてなされたものであり、自端末からサービス番号を入力することで、他の電話端末への発呼と、通話相手と関連がある情報の参照とを容易に行えるＩＰ電話端末、このＩＰ電話端末からの発呼を処理する通話仲介装置及び通信システムを提供することを目的とする。
【課題を解決するための手段】
【０００９】
上記目的を達成するため、本発明は、第１の態様として、電話番号とＵＲＩ情報と文字列情報との組からなる情報を蓄積する情報蓄積手段と、ＩＰ電話端末から文字列情報を受信した際に、該文字列情報に対応する電話番号とＵＲＩ情報とを情報蓄積手段から読み出す手段と、情報蓄積手段から読み出したＵＲＩ情報を文字列情報の送信元であるＩＰ電話端末へ送信する手段と、情報蓄積手段から読み出した電話番号によって特定される電話端末と通信し、文字列情報の送信元のＩＰ電話端末と電話番号によって特定されるＩＰ電話端末との間の通話を確立させる手段とを有する通話仲介装置を提供するものである。
【００１０】
上記本発明の第１の態様においては、情報蓄積手段には、電話番号とＵＲＩ情報と文字列情報との組からなる情報が、複数のＩＰ電話端末について個別に蓄積されており、どのＩＰ電話端末に対応する電話番号及びＵＲＩ情報を情報蓄積手段から読み出すかを、ＩＰ電話端末から文字列情報とともに受信した端末固有の識別子に基づいて決定することが好ましい。
【００１１】
本発明の第１の態様の上記のいずれの構成においても、情報蓄積手段から読み出した電話番号を文字列情報の送信元であるＩＰ電話端末に通知する手段をさらに有することが好ましい。
【００１２】
また、上記目的を達成するため、本発明は、第２の態様として、少なくとも一つのＩＰ電話端末と、該ＩＰ電話端末と他の電話端末との通信を仲介する通話仲介装置とを有する通信システムであって、通話仲介装置は、電話番号とＵＲＩ情報と文字列情報との組からなる情報を蓄積する情報蓄積手段と、ＩＰ電話端末から文字列情報を受信した際に、該文字列情報に対応する電話番号とＵＲＩ情報とを情報蓄積手段から読み出す手段と、情報蓄積手段から読み出したＵＲＩ情報を文字列情報の送信元であるＩＰ電話端末へ送信する手段と、情報蓄積手段から読み出した電話番号によって特定される電話端末と通信し、文字列情報の送信元のＩＰ電話端末と電話番号によって特定される電話端末との間の通話を確立させる手段とを有し、ＩＰ電話端末は、文字列情報を通信仲介装置へ送信する手段と、通話仲介装置から受信したＵＲＩ情報によって示される情報を表示する手段とを有することを特徴とする通信システムを提供するものである。
【００１３】
上記本発明の第２の態様においては、情報蓄積手段には、電話番号とＵＲＩ情報と文字列情報との組からなる情報が、複数のＩＰ電話端末について個別に蓄積されており、ＩＰ電話端末は、文字列情報と共に端末固有の識別子を通話仲介装置へ送信し、通話仲介装置は、どのＩＰ電話端末に対応する電話番号及びＵＲＩ情報を情報蓄積手段から読み出すかを、識別子に基づいて決定することが好ましい。
【００１４】
本発明の第２の態様の上記のいずれの構成においても、通話仲介装置は、情報蓄積手段から読み出した電話番号を文字列情報の送信元であるＩＰ電話端末に通知する手段をさらに有することが好ましい。
【００１５】
また、上記目的を達成するため、本発明は、第３の態様として、電話番号とＵＲＩ情報と文字列情報との組からなる情報を蓄積する情報蓄積手段を備えた通信仲介装置へ文字列情報を送信する手段と、通話仲介装置から受信したＵＲＩ情報によって示される情報を表示する手段とを有するＩＰ電話端末を提供するものである。
【００１６】
上記本発明の第３の態様においては、電話番号とＵＲＩ情報と文字列情報との組からなる情報を通話仲介装置へ送信して情報蓄積手段に蓄積させる手段をさらに有することが好ましい。
【発明の効果】
【００１７】
本発明によれば、サービス番号での発信により、他の電話端末へ発呼と、通話相手と関連がある情報の参照とを容易に行えるＩＰ電話端末、このＩＰ電話端末からの発呼を処理する通話仲介装置及び通信システムを提供できる。
【発明を実施するための最良の形態】
【００１８】
〔第１の実施形態〕
本発明を好適に実施した第１の実施形態について説明する。図１に本実施形態にかかるＵＲＩ情報関連付けシステムの構成を示す。このシステムは、ＳＩＰサーバ１１、ＡＰＬサーバ１２、ＷＥＢサーバ１３、ＰＳＴＮＧＷ１４を有する。
ＳＩＰサーバ１１は、ＩＰ電話端末から送信されてきたＳＩＰデータを処理し、通話相手であるＩＰ電話端末へ送信する。なお、通話相手が固定電話端末である場合には、ＳＩＰサーバ１１はＳＩＰデータをＰＳＴＮＧＷ１４へ送信する。ＡＰＬサーバ１２は、電話番号とＵＲＩ情報とサービス番号との関係を示すテーブルを備えている。ＷＥＢサーバ１３は、文書記述言語（例えばＸＭＬ）で記述されたデータを格納しており、ＩＰ電話端末からの要求に応じて、格納しているデータを送信する。ＰＳＴＮＧＷ１４は、ＩＰ電話網と加入者電話網（公衆電話網：ＰＳＴＮ）とを接続する装置であり、ＩＰ電話端末から固定電話端末宛に発信されたＳＩＰデータをアナログ電気データに変換したり、固定電話端末から公衆電話網を介して送られてきたアナログ電気信号をＳＩＰデータに変換する処理を行う。
【００１９】
本実施形態にかかるＵＲＩ情報関連付けシステムの動作について説明する。なお、ＡＰＬサーバ１２には、その管理者がサービス登録希望者（ＩＰ電話端末２０のユーザ）から入手した、任意の番号（サービス番号）ＵＲＩ情報と接続先電話番号とが関連付けられテーブルとして格納されているものとする。
【００２０】
ＩＰ電話端末２０は、ユーザからの入力操作に応じて、サービス番号を示す情報（サービス番号情報）をＳＩＰサーバ１１へ送信する。ＳＩＰサーバ１１は、ＩＰ電話端末２０からサービス番号情報を受信すると、これをＡＰＬサーバ１２へ転送する。
【００２１】
ＳＩＰサーバ１１から転送されてきたサービス番号情報を受信したＡＰＬサーバ１２は、受信したサービス番号情報によって示されるサービス番号に基づいてテーブルを参照し、ＵＲＩ情報及び電話番号を取得する。
ＡＰＬサーバ１２は、テーブルから読み出したＵＲＩ情報及び電話番号をＳＩＰサーバ１１へ送信する。
【００２２】
ＳＩＰサーバ１１は、ＡＰＬサーバ１２から取得したＵＲＩ情報を、サービス番号情報の送信元であるＩＰ電話端末２０へ送信する。
【００２３】
ＳＩＰサーバ１１からＵＲＩ情報を受信したＩＰ電話端末２０は、受信したＵＲＩ情報によって示されるＵＲＩにある情報を、ブラウザ機能を用いて取得する。これにより、ＩＰ電話端末２０の不図示の表示部には、ＵＲＩに基づく情報が表示される。
【００２４】
また、ＳＩＰサーバ１１は、ＡＰＬサーバ１２から受信した電話番号に対して通話接続する。すなわち、電話番号がＩＰ電話端末のものであれば、そのＩＰ電話端末を宛先としてＳＩＰデータを送信し、電話番号が固定電話のものであれば、ＰＳＴＮＧＷ１４を宛先としてＳＩＰデータを送信する。
【００２５】
これにより、ＩＰ電話端末２０には、ユーザが選択したサービス番号に対応する電話端末との通信が確立するとともに、その表示部にはサービス番号に関連付けられた情報が表示される。
【００２６】
通話確立後は、ＩＰ電話端末２０は、ＳＩＰサーバを介することなく、通話相手であるＩＰ電話端末又は固定電話端末と音声データを送受信する。
【００２７】
このように、ＩＰ電話端末２０のユーザは、サービス番号を指定するだけで、他の電話端末との通信時に通信相手と関連のある情報を容易に参照できる。しかもサービス番号として任意の番号を登録できるため、語呂合わせなどで暗記しやすい番号を割り当てることが可能となる。
【００２８】
なお、ＳＩＰサーバ１１は、ＡＰＬサーバ１２から受信した電話番号をサービス番号の送信元であるＩＰ電話端末２０へ通知しても良い。ＳＩＰサーバ１１がＩＰ電話端末２０へ電話情報を通知することにより、ＩＰ電話端末２０において発信履歴を確認できる。
【００２９】
〔第２の実施形態〕
本発明を好適に実施した第２の実施形態について説明する。
本実施形態にかかるＵＲＩ情報関連付けシステムの構成は、第１の実施形態と同様である。ただし、本実施形態においては、ＡＰＬサーバ１２には、サービス番号と電話番号とＵＲＩ情報とを関連づけたテーブルがユーザＩＤごとに格納されている。
【００３０】
本実施形態にかかるＵＲＩ情報関連付けシステムの動作について説明する。なお、ＡＰＬサーバ１２には、その管理者がサービス登録希望者（ＩＰ電話端末２０のユーザ）から入手した、任意の番号（サービス番号）ＵＲＩ情報と接続先電話番号とが関連付けられユーザＩＤごとのテーブルとして格納されているものとする。
【００３１】
ＩＰ電話端末２０は、ユーザからの入力操作に応じて、サービス番号を示す情報（サービス番号情報）とユーザＩＤとをＳＩＰサーバ１１へ送信する。ＳＩＰサーバ１１は、ＩＰ電話端末からサービス番号情報及びユーザＩＤを受信すると、これをＡＰＬサーバ１２へ転送する。
【００３２】
ＳＩＰサーバ１１から転送されてきたサービス番号情報及びユーザＩＤを受信したＡＰＬサーバ１２は、受信したユーザＩＤに対応するテーブルを、サービス番号情報によって示されるサービス番号に基づいて参照し、ＵＲＩ情報及び電話番号を取得する。
ＡＰＬサーバ１２は、テーブルから読み出したＵＲＩ情報及び電話番号をＳＩＰサーバ１１へ送信する。
【００３３】
その後、第１の実施形態と同様に、ＳＩＰサーバ１１は、ＡＰＬサーバ１２から取得したＵＲＩ情報を、サービス番号情報の送信元であるＩＰ電話端末へ送信する。また、ＳＩＰサーバ１１は、ＡＰＬサーバ１２から受信した電話番号に対して通話接続する。
【００３４】
このように、本実施形態にかかるＵＲＩ情報関連付けシステムでは、ＡＰＬサーバ１２は、格納している複数のテーブルのうちいずれを参照するかを、ＩＰ電話端末から取得したユーザＩＤに基づいて判断する。これにより、外出先などで他人のＩＰ電話端末を借用する場合にも、他の電話端末との通信時に通信相手と関連のある情報を容易に参照できる。しかもサービス番号として任意の番号を登録できるため、語呂合わせなどで暗記しやすい番号を割り当てることが可能となる。
【００３５】
なお、上記実施形態は本発明の好適な実施の一例であり、本発明はこれに限定されることはない。
例えば、上記各実施形態においては、ＵＲＩ情報及び電話番号とサービス番号とを関連付けたが、サービス番号の代わりに任意の文字列を関連付けても良い。
また、上記各実施形態においては、サービス番号とＵＲＩ情報と接続先電話番号とを組とする情報は、ＩＰ電話端末のユーザがＡＰＬサーバに登録していたが、これらの情報はＵＲＩが示す情報の管理者（例えば、ＵＲＬであればそのホームページの管理者）が登録しても良い。
また、上記各実施形態においては、ＵＲＩ情報及び接続先電話番号を任意の番号に関連付けたが、これらは任意の文字列に関連付けることも可能である。
このように、本発明は様々な変形が可能である。
【図面の簡単な説明】
【００３６】
【図１】本発明を好適に実施した第１の実施形態に係るＵＲＩ情報関連付けシステムの構成を示す図である。
【符号の説明】
【００３７】
１１    ＳＩＰサーバ
１２    ＡＰＬサーバ
１３    ＷＥＢサーバ
１４    ＰＳＴＮＧＷ
２０    ＩＰ電話端末
【図１】
2006148649.tif 000003